(57)【要約】      （修正有）【課題】デッキ上面をなすデッキ材の配設工程が簡便となり、且つ、破損したデッキ材の取替え修繕が容易となるデッキ並びにデッキの建築方法及びデッキの修繕方法の提供。【解決手段】大引２１と該大引に直交する根太９０からなる矩形枠と、前記矩形枠を支持する複数本の束柱９と、前記大引２１の軸に対して直角方向に配されるとともに該大引２１上面に固定される断面略Ｃ型のデッキ基材２２と、前記デッキ基材２２上面に沿って固定されるデッキ材２３と、前記大引２１と前記デッキ基材２２とを連結・固定する第１固定具３からなり、前記デッキ基材２２は、下方に開口縁２２１が現れるように配され、前記第１固定具３が該開口縁２２１を介して大引２１とデッキ基材２２の固定及び該固定の解除が可能であることを特徴とするデッキである。【選択図】図２
2006348706.tif 000002
【特許請求の範囲】
【請求項１】
大引と該大引に直交する根太からなる矩形枠と、
前記矩形枠を支持する複数本の束柱と、
前記大引の軸に対して直角方向に配されるとともに該大引上面に固定される断面略Ｃ型のデッキ基材と、
前記デッキ基材上面に沿って固定されるデッキ材と、
前記大引と前記デッキ基材とを連結・固定する第１固定具からなり、
前記デッキ基材は、下方に開口縁が現れるように配され、前記第１固定具が該開口縁を介して大引とデッキ基材の固定及び該固定の解除が可能であることを特徴とするデッキ。
【請求項２】
前記大引のうち少なくとも１本が、互いに略平行に所定間隔を空けて配される一対の角材から構成され、
前記第１固定具が、
前記デッキ基材の開口縁上方を横切る板材と、該板材下面から下方に延出するボルト部からなる板付きボルトと、
前記一対の角材の下方に配されるとともに該一対の角材の間隔よりも径大なるワッシャと、
該ワッシャの下に配されるとともに前記ボルト部に螺合するナットからなることを特徴とする請求項１記載のデッキ。
【請求項３】
前記角材の少なくとも端部が中空に形成され、
平板部と、該平板部から突出するとともに前記角材端部内部に嵌入される一対の突出部を備えるジョイントキャップが前記角材端部に取付けられることを特徴とする請求項２記載のデッキ。
【請求項４】
略Ｕ字型の接続具の内側面が、前記一対の角材の側面に隣接し、
前記接続具の内側面と前記角材の側面がビス止めされることを特徴とする請求項２記載のデッキ。
【請求項５】
前記デッキ基材が中空に形成され、
前記デッキ材と前記デッキ基材を固定する第２固定具が、
前記デッキ基材の中空部内に配される板ナットと、
前記デッキ基材に形成される貫通穴と前記デッキ材に形成される固定穴を挿通する固定ボルトからなり、
前記板ナットと固定ボルトが螺合して、前記デッキ基材と前記デッキ材が連結・固定されることを特徴とする請求項１記載のデッキ。
【請求項６】
前記デッキ材が、木粉と溶融樹脂とを混合し成型された複合材料からなることを特徴とする請求項１記載のデッキ。
【請求項７】
前記大引が断面略Ｃ型に形成されるとともに、下方に開口縁を備え、
前記第１固定具が、
前記デッキ基材の開口縁上方を横断する横断板と、
前記大引の開口縁から前記大引の上面を形成する部分を押圧可能なねじ部を備えるＣ型クランプであることを特徴とする請求項１記載のデッキ。
【請求項８】
前記第１固定具が、
前記開口縁上方を横断する横断板と、
該横断板上面を直角に横切る部分と、前記大引側面に隣接する部分からなるＬ字材と、
該Ｌ字材の前記大引側面に隣接する部分と前記大引側面とを連結・固定するビスからなることを特徴とする請求項１記載のデッキ。
【請求項９】
前記束柱と前記大引との間に、大引の高さ位置を変更可能な調整束が配されることを特徴とする請求項１記載のデッキ。
【請求項１０】
前記大引が、下方に開口縁を備えるように配される断面略Ｃ型の形状であり、
前記調整束が、前記大引の前記開口縁を上下に挟持する一対の上板と、
該上板の略中心に形成された開口部を貫くねじ部と、
前記ねじ部下端に取付けられるとともに前記束柱上端に固定される下板からなることを特徴とする請求項９記載のデッキ。
【請求項１１】
前記大引のうち少なくとも１本が、互いに略平行に所定間隔を空けて配される一対の角材から構成され、
前記調整束が、
前記一対の角材を左右から挟持する側面を備える略Ｕ字型の接続具と、
該接続具下面を貫くとともに上下方向に変位可能に接続するねじ部と、
該ねじ部下端に取付けられる下板からなることを特徴とする請求項９記載のデッキ。
【請求項１２】
互いに略平行に配列された複数のデッキ基材と、
該複数のデッキ基材それぞれの上面に沿って、配設されたデッキ材からなり、
前記デッキ基材が地中に埋設されるとともに、前記デッキ材の少なくとも上面が地表より上に位置してなることを特徴とするグラウンドデッキ
【請求項１３】
地面から複数の束柱を立設し、整列させる立設工程と、
前記束柱上に複数の大引を載置固定し、各大引を互いに略平行に整列させ、根太を前記大引に直交するように接続させ、矩形枠を形成する矩形枠形成工程と、
前記大引上面を直角方向に横切るように複数のデッキ基材を配列固定するデッキ基材設置工程を備え、
前記デッキ基材が下方に開口縁を有する略Ｃ型断面を備え、
前記デッキ基材設置工程が、前記デッキ基材の開口縁を介して前記大引と前記デッキ基材とを接続・固定する段階を備えることを特徴とするデッキの建築方法。
【請求項１４】
前記デッキ基材設置工程が、デッキ基材上面に木粉と溶融樹脂とを混合し成型された複合材料を設置する段階を備えることを特徴とする請求項１３記載のデッキの建築方法。
【請求項１５】
互いに略平行に配される複数の大引と、
該大引に対して直交して配列される略Ｃ型断面を備える複数のデッキ基材と、
該デッキ基材それぞれの上面に配されるデッキ材を備えるデッキの修繕方法であって、
該方法は、
前記デッキ材のうち破損したデッキ材に接続するデッキ基材と、前記大引とを固定する固定具が備えるねじ部の螺合を解除し、前記破損したデッキ材と接続するデッキ基材のみを取外す取外工程と、
デッキ材が取付けられた新たなデッキ基材を前記破損したデッキ材を備えるデッキ基材が取外された部分に配設する配設工程と、
前記デッキ基材を前記大引に固定する固定工程からなり、
前記取外工程と前記固定工程が、前記デッキ基材の下面に現れる開口縁を介しての固定具の取外し・取付により行われることを特徴とするデッキの修繕方法。
【発明の詳細な説明】
【技術分野】
【０００１】
本発明は、デッキに関し、より詳しくは、デッキ上面をなすデッキ材の配設工程が簡便となり、且つ、破損したデッキ材の取替え修繕が容易となるデッキ並びにデッキの建築方法及びデッキの修繕方法に関し、特に、湿度・気温等の変化により伸長・収縮しやすいデッキ材を用いたデッキに好適に適用できるものである。また、本発明は、グランドデッキにも好適に適用可能である。
【背景技術】
【０００２】
近年、住宅に取付けるデッキの需要が高まってきている。従来、耐久性に優れる針葉樹（ソフトウッド）或いはソフトウッドに防腐処理したものが多く使われてきた。近年のデッキに係る需要の高まりは、更なる耐久性の向上へのニーズを生み出すこととなってきている。
【０００３】
このような耐久性へのニーズに応えるために、赤道直下の国々から輸入される天然木の１枚板から作られるデッキ材が使用される場面が増加するようになってきている。赤道直下の国々から輸入される天然木は、比重が１以上あり硬く、また腐食しにくく、これに加えて、良好な加工性を有し、非常にデッキ材としての使用に好適なものである。
【０００４】
しかしながら、近年の地球規模の環境破壊並びにこれに起因する天然資源の枯渇の問題から、このような南洋材のハードウッドの入手が困難となってきており、更には、将来的な環境破壊の進行の防止の観点からも、このような天然木の使用は好ましいものではない。
【０００５】
上記実情を鑑みて、天然木を使用せず、且つ耐久性のあるデッキ材として、木粉と溶融樹脂とを混合し、成型加工して製造された合成木材も、近年デッキ材として使用されるようになってきている。
【０００６】
上記のような合成木材は、ウッドデッキの使用として、好ましくない性質を備える。即ち、湿度等の変動により縦方向並びに横方向への膨潤を生じ、デッキ材を固定するためのビス部分並びにこの近傍箇所が、上記膨潤作用によって割れるという問題が生ずる。このような割れの問題を回避するための手段として、デッキ材上面にザグリ穴付貫通穴を設け、この貫通穴より径小なボルトでデッキ材を固定する手段も採用可能であるが、この貫通穴を形成する工程が手間となるとともに、ボルト頭部がデッキ上面から視認されるため、デッキ自体の外観が悪くなるという問題を生ずるものとなる。
また、このような合成材料は、圧縮及び曲げ強度といった機械的強度が非常に低く、デッキ材を支持するための根太を多く必要とするものとなる。このため、根太配設作業や根太が連結する大引の設置作業は、非常に労力を要するものとなる。
更には、合成木材は定形寸法であるため、現場でのデッキ材の設置面積の変更は不可能であり、例えば、合成木材を継ぎ足して、設置面積を広げるといった作業はできなかった。
【０００７】
また、このような合成木材を使用してのデッキ材の取付構造にも問題がある。従来の合成木材を利用したデッキ材の取付構造を示すため、図１０に、特許文献１に開示されるデッキ材の取付構造を示す。
特許文献１のデッキ材（１００）は、根太（１０１）に対して直交して配され、根太（１０１）に固定される。デッキ材（１００）は、側面に凹部（１０２）を備える。デッキ材（１００）の凹部に固定具（１０３）の一部を挿入し、固定具（１０３）を根太に固定することにより、固定具（１０３）はデッキ材（１００）を下方に押付け、デッキ材（１００）が根太（１０１）上に固定される。
【０００８】
【特許文献１】特開２００４−２７７２４号公報
【発明の開示】
【発明が解決しようとする課題】
【０００９】
特許文献１に開示される発明は、デッキ材（１００）を取付けた後の周辺湿度等の変化に起因するデッキ材（１００）の伸縮にかかわらず、ビス止めすることなしに取付けられているので、デッキ材（１００）の割れの発生という問題を生じない点で優れているが、以下のような課題を有する。
【００１０】
固定具（１０３）が隣接するデッキ材（１００）を同時に固定するという点である。このような構成では、複数のデッキ材（１００）を配列・固定した後、このデッキ材（１００）の配列のうち、例えば、中間位置にあるデッキ材（１００）を取り除く必要があるとき、端にあるデッキ材（１００）から順次デッキ材（１００）を取外す必要がある。したがって、デッキ材（１００）の配設工程のやり直しには非常に手間がかかり、施工性の面で困難或いは煩雑さを生じるものである。
【００１１】
本発明は上記実情を鑑みてなされたものであって、デッキ上面をなすデッキ材の配設工程が簡便となり、且つ、破損したデッキ材の取替え修繕が容易となるデッキ並びにデッキの建築方法及びデッキの修繕方法を提供することを目的とする。
また、湿度等の変化により伸縮しやすい性質を備えるデッキ材を用いても、割れを生じないデッキ並びにデッキの建築方法及びデッキの修繕方法を提供することを目的とする。
更には、機械的強度に劣るデッキ材を用いても、簡単なデッキ材の支持構造でデッキ材を支持可能なデッキ並びにデッキの建築方法及びデッキの修繕方法を提供することを目的とする。
加えて、本発明は、グランドデッキにも適用可能であり、建築業務を専門としない一般の人が、簡便に構築可能なグランドデッキを提供することを目的とする。
【課題を解決するための手段】
【００１２】
請求項１記載の発明は、大引と該大引に直交する根太からなる矩形枠と、前記矩形枠を支持する複数本の束柱と、前記大引の軸に対して直角方向に配されるとともに該大引上面に固定される断面略Ｃ型のデッキ基材と、前記デッキ基材上面に沿って固定されるデッキ材と、前記大引と前記デッキ基材とを連結・固定する第１固定具からなり、前記デッキ基材は、下方に開口縁が現れるように配され、前記第１固定具が該開口縁を介して大引とデッキ基材の固定及び該固定の解除が可能であることを特徴とするデッキである。
【００１３】
請求項２記載の発明は、前記大引のうち少なくとも１本が、互いに略平行に所定間隔を空けて配される一対の角材から構成され、前記第１固定具が、前記デッキ基材の開口縁上方を横切る板材と、該板材下面から下方に延出するボルト部からなる板付きボルトと、前記一対の角材の下方に配されるとともに該一対の角材の間隔よりも径大なるワッシャと、該ワッシャの下に配されるとともに前記ボルト部に螺合するナットからなることを特徴とする請求項１記載のデッキである。
請求項３記載の発明は、前記角材の少なくとも端部が中空に形成され、平板部と、該平板部から突出するとともに前記角材端部内部に嵌入される一対の突出部を備えるジョイントキャップが前記角材端部に取付けられることを特徴とする請求項２記載のデッキである。
請求項４記載の発明は、略Ｕ字型の接続具の内側面が、前記一対の角材の側面に隣接し、前記接続具の内側面と前記角材の側面がビス止めされることを特徴とする請求項２記載のデッキである。
【００１４】
請求項５記載の発明は、前記デッキ基材が中空に形成され、前記デッキ材と前記デッキ基材を固定する第２固定具が、前記デッキ基材の中空部内に配される板ナットと、前記デッキ基材に形成される貫通穴と前記デッキ材に形成される固定穴を挿通する固定ボルトからなり、前記板ナットと固定ボルトが螺合して、前記デッキ基材と前記デッキ材が連結・固定されることを特徴とする請求項１記載のデッキである。
請求項６記載の発明は、前記デッキ材が、木粉と溶融樹脂とを混合し成型された複合材料からなることを特徴とする請求項１記載のデッキである。
【００１５】
請求項７記載の発明は、前記大引が断面略Ｃ型に形成されるとともに、下方に開口縁を備え、前記第１固定具が、前記デッキ基材の開口縁上方を横断する横断板と、前記大引の開口縁から前記大引の上面を形成する部分を押圧可能なねじ部を備えるＣ型クランプであることを特徴とする請求項１記載のデッキである。
請求項８記載の発明は、前記第１固定具が、前記開口縁上方を横断する横断板と、該横断板上面を直角に横切る部分と、前記大引側面に隣接する部分からなるＬ字材と、該Ｌ字材の前記大引側面に隣接する部分と前記大引側面とを連結・固定するビスからなることを特徴とする請求項１記載のデッキである。
【００１６】
請求項９記載の発明は、前記束柱と前記大引との間に、大引の高さ位置を変更可能な調整束が配されることを特徴とする請求項１記載のデッキである。
請求項１０記載の発明は、前記大引が、下方に開口縁を備えるように配される断面略Ｃ型の形状であり、前記調整束が、前記大引の前記開口縁を上下に挟持する一対の上板と、該上板の略中心に形成された開口部を貫くねじ部と、前記ねじ部下端に取付けられるとともに前記束柱上端に固定される下板からなることを特徴とする請求項９記載のデッキである。
請求項１１記載の発明は、前記大引のうち少なくとも１本が、互いに略平行に所定間隔を空けて配される一対の角材から構成され、前記調整束が、前記一対の角材を左右から挟持する側面を備える略Ｕ字型の接続具と、該接続具下面を貫くとともに上下方向に変位可能に接続するねじ部と、該ねじ部下端に取付けられる下板からなることを特徴とする請求項９記載のデッキである。
請求項１２記載の発明は、互いに略平行に配列された複数のデッキ基材と、該複数のデッキ基材それぞれの上面に沿って、配設されたデッキ材からなり、前記デッキ基材が地中に埋設されるとともに、前記デッキ材の少なくとも上面が地表より上に位置してなることを特徴とするグラウンドデッキである。
【００１７】
請求項１３記載の発明は、地面から複数の束柱を立設し、整列させる立設工程と、前記束柱上に複数の大引を載置固定し、各大引を互いに略平行に整列させ、根太を前記大引に直交するように接続させ、矩形枠を形成する矩形枠形成工程と、前記大引上面を直角方向に横切るように複数のデッキ基材を配列固定するデッキ基材設置工程を備え、前記デッキ基材が下方に開口縁を有する略Ｃ型断面を備え、前記デッキ基材設置工程が、前記デッキ基材の開口縁を介して前記大引と前記デッキ基材とを接続・固定する段階を備えることを特徴とするデッキの建築方法である。
請求項１４記載の発明は、前記デッキ基材設置工程が、デッキ基材上面に木粉と溶融樹脂とを混合し成型された複合材料を設置する段階を備えることを特徴とする請求項１３記載のデッキの建築方法である。
請求項１５記載の発明は、互いに略平行に配される複数の大引と、該大引に対して直交して配列される略Ｃ型断面を備える複数のデッキ基材と、該デッキ基材それぞれの上面に配されるデッキ材を備えるデッキの修繕方法であって、該方法は、前記デッキ材のうち破損したデッキ材に接続するデッキ基材と、前記大引とを固定する固定具が備えるねじ部の螺合を解除し、前記破損したデッキ材と接続するデッキ基材のみを取外す取外工程と、デッキ材が取付けられた新たなデッキ基材を前記破損したデッキ材を備えるデッキ基材が取外された部分に配設する配設工程と、前記デッキ基材を前記大引に固定する固定工程からなり、前記取外工程と前記固定工程が、前記デッキ基材の下面に現れる開口縁を介しての固定具の取外し・取付により行われることを特徴とするデッキの修繕方法である。
【発明の効果】
【００１８】
請求項１記載の発明によれば、デッキ基材に沿ってデッキ材が配され、デッキ基材上面全体がデッキ材を支持するので、機械的強度に劣るデッキ材を用いても、大引の配列ピッチを狭くする必要がない。
また、第１固定具が、隣接するデッキ基材同士を連結しないので、任意の位置にあるデッキ基材を単独で取外すことが可能である。更には、第１固定具が下方に現れる開口縁を介して固定或いは該固定の解除が可能であるので、デッキ基材の取付並びに取外し作業が容易である。
【００１９】
請求項２記載の発明によれば、ボルト部とナットの螺合を解除させることのみで、デッキ基材を取外すことが可能であり、ボルト部とナットを螺合させることのみでデッキ基材と大引を固定可能となり、デッキ基材の取付並びに取外し作業が容易となる。更には、デッキ基材を大引上に配設する際に、第１固定具は、角材の間を移動可能となるとともに、開口縁に沿って移動可能であるので、デッキ基材を大引上面で摺動させて配列可能となり、デッキ基材の配列作業が容易となる。
請求項３記載の発明によれば、角材が中空であるので、大引の軽量化を図ることができる。更には、ジョイントキャップにより、角材同士の間隔を一定に維持することができる。また、デッキ材配列の側方の固定をキャップ基材により行うことが可能となる。
請求項４記載の発明によれば、角材の側方への撓みを低減可能となり、角材同士の間隔を一定に保つことが可能となる。
【００２０】
請求項５記載の発明によれば、開口縁から第２固定具へのアクセスが可能となり、デッキ材のみを取外し或いは取付けることが可能となる。
請求項６記載の発明によれば、耐久性の向上を図ることができる。
請求項７記載の発明によれば、クランプの取外し及び取付のみで、大引とデッキ基材の取外し・取付を行うことができる。
請求項８記載の発明によれば、Ｌ字材の取外し及び取付のみで、大引とデッキ基材の取外し・取付を行うことができる。
請求項９乃至１１記載の発明によれば、大引の高さ調整を行うことができ、デッキ上面を水平に形成しやすくなる。
請求項１２記載の発明によれば、簡便に構築可能なグランドデッキとなる。
【００２１】
請求項１３記載の発明によれば、隣接するデッキ基材同士を連結させることなしに、デッキ基材を取付可能となる。
請求項１４記載の発明によれば、耐久性の向上を図ることができる。
請求項１５記載の発明によれば、隣接するデッキ基材を取外すことなく、修繕が必要なデッキ材と接続するデッキ基材のみを交換することにより、デッキの修繕を完了させることができる。
【発明を実施するための最良の形態】
【００２２】
以下、本発明に係るデッキ並びにデッキの建築方法及びデッキの修繕方法の実施形態について、図を参照しつつ説明する。
図１は、本発明のデッキ（１）の全体概略を示す図であり、図１（ａ）はデッキの概略平面図であり、図１（ｂ）はデッキの概略正面図である。
デッキ（１）は、デッキ構造部（２）と束柱（９）からなる。複数の束柱（９）が地面から立設されるとともに一線上に整列され、複数の束柱（９）の列が構成される。そして、複数の束柱（９）の列は、互いに平行に整列される。
束柱（９）上端に、デッキ構造部（２）が配されるとともに固定される。
【００２３】
デッキ構造部（２）は、大引（２１）、デッキ基材（２２）及びデッキ材（２３）を備える。
大引（２１）は、上記の束柱（９）の列に沿って配され、各束柱（９）上端に固定される。複数の大引（２１）は、互いに平行に整列される。そして、大引（２１）を直交するように根太（９０）が配され、大引（２１）と根太（９０）で矩形枠を形成する。尚、大引（２１）と根太（９０）の本数は図示例に限られるものではなく、デッキ（１）の十分な構造的強度を得るように適宜定められる。
デッキ基材（２２）は、デッキ基材（２２）の軸が大引（２１）の軸に対して直角となるように、大引（２１）上面に配されるとともに固定される。複数のデッキ基材（２２）が互いに平行に配されるとともに、隣合うデッキ基材（２２）の側面同士が略接するように配される。
デッキ材（２３）は、デッキ基材（２２）と略同幅並びに略同長に形成され、各デッキ基材（２２）上面に固定される。
【００２４】
図２は、デッキ構造部（２）を示す。尚、図面の明瞭化のために根太（９０）は、省略して示されている。
第１の実施形態の大引（２１）は、互いに略平行に所定間隔を空けて配される一対の角材（２１０）からなる。角材（２１０）は、好ましくは、中空とされる。これにより、角材（２１０）の軽量化を図ることができ、デッキ構造部（２）の構築が容易となる。また、角材（２１０）の少なくとも端部が中空にされることにより、ジョイントキャップ（２１１）を用いて、一対の角材（２１０）を連結することが可能となる。
角材（２１０）は、デッキ（１）上面から加わる重量に対して、破損しなければ、特にその材質は限定されないが、金属製であることが好ましく、特に、アルミ製角材、亜鉛メッキ鉄製角材などが好適に使用可能である。
【００２５】
ジョイントキャップ（２１１）は、平板部（２１２）と、平板部（２１２）から延出する一対の突出部（２１３）を備える。一対の突出部（２１３）は、それぞれ一対の角材（２１０）端部内部に嵌入する。ジョイントキャップ（２１１）は、典型的には、合成樹脂から成型され、角材（２１０）の端部を覆うことにより、角材（２１０）の端部角部により、デッキ（１）の建築作業者或いはデッキ（１）を利用する者が怪我をすることを防止可能である。更には、ジョイントキャップ（２１１）により、一対の角材（２１０）の所定間隔を保ったまま運搬・設置を行うことができるため、デッキ（１）の建築作業が容易となる。
【００２６】
大引（２１）に対して直交して、デッキ基材（２２）が大引（２１）上面に配される。デッキ基材（２２）は、断面略Ｃ型形状であり、下方に現れる開口縁（２２１）を備える。デッキ基材（２２）は、デッキ（１）上面から加わる重量に対して、破損しなければ、特にその材質は限定されないが、金属製であることが強度の面から好ましく、特に、アルミ製材料、亜鉛メッキ鉄製材料などが防錆、耐候性や材料コストの面から、好適に使用可能である。
【００２７】
第１固定具（３）は、デッキ基材（２２）と大引（２１）とを接続固定する。
図２に示される第１固定具（３）は、開口縁（２２１）上方を横切る板材（３１）と、板材（３１）下面から延設するボルト部（３２）と、ボルト部（３２）が挿入するワッシャ（３３）と、ボルト部（３２）と螺合するナット（３４）からなる。
板材（３１）の対向する側縁は、開口縁（２２１）を形成するデッキ基材（２２）の一対のフラップ板（２２２）上面に支持される。
ボルト部（３２）は、一対の角材（２１０）の間に挿入され、ボルト部（３２）下端は、角材（２１０）の下方に突出する。ボルト部（３２）にワッシャ（３３）とナット（３４）が取付けられる。ワッシャ（３３）は、一対の角材（２１０）の間隔よりも長い直径を備え、ボルト部（３２）を締めることにより、板材（３１）とワッシャ（３３）間で大引（２１）とフラップ板（２２２）とが互いに押圧され、デッキ基材（２２）と大引（２１）とが固定連結される。
【００２８】
一対の角材（２１０）側面を左右から挟持するとともに、角材（２１０）下面を支持する略Ｕ字型に形成された接続具（４）を備えてもよい。接続具（４）内側面は、一対の角材の両側面と当接し、ビスやねじ等の手段でこれらは連結される。このような接続具（４）が、一対の角材（２１０）に配されるならば、一対の角材（２１０）の側面方向の撓みを防止可能となる。
【００２９】
尚、図２に示す例においては、接続具（４）は、調整束（５）の一部を構成している。
調整束（５）は、接続具（４）と、接続具（４）下面から突出する筒状の連結部（５１）と、連結部（５１）内壁に形成されためねじ部と螺合するねじ部（５２）と、ねじ部（５２）下端に取付けられる下板（５３）からなる。
接続具（４）の下面には開口部が設けられ、連結部（５１）内部の空洞部と連通している。連結部（５１）とねじ部（５２）の螺合を進めると、上方にねじ部（５２）の上端が突出し、該上端は一対の角材（２１０）の間に侵入する。
下板（５３）は、束柱（９）上端に固定される。
このように調整束（５）を、束柱（９）と大引（２１）との間に配することで、デッキ構造部（２）の地面からの高さ位置を調整可能となる。
【００３０】
図３は、デッキ材（２３）とデッキ基材（２２）との接続構造を示す図である。
断面略Ｃ型のデッキ基材（２２）の上面には、貫通穴（２２３）が形成される。
デッキ材（２３）は、一部を中空に形成され、この中空部（２３１）と連通する固定穴（２３２）が、デッキ材（２３）下面に形成されている。
【００３１】
第２固定具（６）は、貫通穴（２２３）と固定穴（２３２）とを挿通する固定ボルト（６１）と、中空部（２３１）内部に配され、固定穴（２３２）上に配設される板ナット（６２）からなる。
固定ボルト（６１）と板ナット（６２）とを螺合させることにより、デッキ材（２３）は、デッキ基材（２２）上面に固定される。
【００３２】
図３に示すような、デッキ材（２３）とデッキ基材（２２）との固定方式は、デッキ材（２３）が、木粉と溶融樹脂を混合して、成型して得られる複合材料製デッキ材（２３）である場合に好適に使用可能である。
複合材料製デッキ材（２３）は、湿度等の変化により、伸縮し、その伸縮幅が広いため、通常のデッキ材とデッキ基材との接合に用いられるビス止めによる固定方法で、複合材料製デッキ材（２３）をデッキ基材（２２）上に固定すると、ビス周囲のデッキ材（２３）の部分に割れを生ずることとなる。しかしながら、図３に示すような固定方式を用いると、貫通穴（２２３）及び固定穴（２３２）の穴径を、固定ボルト（６１）のねじ部外径よりも広く形成することで、デッキ材（２３）の伸縮の影響を避けることが可能となる。
【００３３】
図４に他のデッキ材（２３）とデッキ基材（２２）の接合形態を示す。
図４に示すようにデッキ材（２３）に、木板を用いることも可能である。木板のように伸縮幅の狭いデッキ材（２３）を用いる場合には、通常のデッキ材（２３）とデッキ基材（２２）との接合固定に用いられるビス止めを採用可能である。
本発明の利点は、図４に示すような伸縮性のほとんどない木板を用いた場合にも、発揮される。従来、南洋材を加工して得られるハードウッドは、その厚みが小さい場合、機械的強度の問題から使用することはできなかった。しかしながら、本発明の構造によれば、デッキ基材（２２）上面がデッキ材（２３）全面を支持するため、強度の低いデッキ材（２３）を使用することが可能である。更には、短尺のデッキ材（２３）を繋ぎ合わせて使用することも可能である。
【００３４】
図５は、他のデッキ構造部（２）の形態を示す。尚、図２と同様に、図面の明瞭化のために根太（９０）は、省略して示されている。
図５に示すデッキ構造部（２）は、大引（２１）、第１固定具（３）の構造が図２に示すデッキ構造部（２）と異なるが、他の構成は同様である。
図５に示す大引（２１）は、略Ｃ型の断面を備え、開口縁（２１２）は下方に現れる。
第１固定具（３）は、Ｃ型クランプ（３１０）と、横断板（３１１）から構成されてもよい。横断板（３１１）を、デッキ基材（２２）の開口縁（２２１）を横断するようにし、フラップ板（２２２）により支持されるように配設し、この横断板（３１１）をＣ型クランプ（３１０）で押えるとともに、Ｃ型クランプ（３１０）のねじ部を大引（２１）の開口縁（２１２）に通し、大引（２１）の上部板（２１３）にその先端を当接させる。そして、Ｃ型クランプ（３１０）のねじ部を締めることにより、デッキ基材（２２）と大引（２１）が接合する。
【００３５】
尚、Ｃ型クランプ（３１０）に代えて、Ｌ字材（３１２）を用いてもよい。Ｌ字材（３１２）は、第１部材と第１部材に対して直角方向に折れ曲がる第２部材からなり、第１部材を、横断板（３１１）上面を横切るように配し、第２部材を大引（２１）側面にビス止め或いはねじ止めにて接合する。これにより、デッキ基材（２２）と大引（２１）とが接合される。
【００３６】
図５には、更に、図２と異なる形態の調整束（５）が示されている。
図５に示す調整束（５）は、大引（２１）の開口縁（２１２）左右に配されるフラップ板（２１４）の上下を挟持する一対の上板（５４）と、上板（５４）の略中心に形成された開口部を貫くねじ部（５５）と、ねじ部（５５）下端に取付けられるとともに束柱（９）の上端に固定される下板（５３）からなる。
このような構造の調整束（５）のねじ部の上板（５４）からの先端突出量を調整することで、デッキ構造（２）の地面からの高さを適宜調整可能である。
【００３７】
図６は、上記で説明したデッキ（１）の建築方法のフローチャートである。
デッキ（１）は、立設工程、矩形枠形成工程及びデッキ基材設置工程により、建築される。
立設工程にて、複数の束柱（９）が一線上に整列するように地面から立設される。そして、一線上に整列する束柱（９）の列が複数設けられ、各束柱（９）の列は互いに略平行にされる。上述の如く、デッキ（１）のデッキ基材（２２）が、デッキ材（２３）を全面にわたって支持するので、束柱（９）の列の配列ピッチを狭くする必要がない。
尚、この立設工程にて、束柱（９）の上端に、調整束（５）の下板（５３）を固定してもよい。
【００３８】
立設工程の次に、矩形枠形成工程が行われる。
矩形枠形成工程にて、大引（２１）が各束柱（９）の列に沿って、束柱（９）上端に載置される。尚、調整束（５）を用いる場合には、調整束（５）上端に大引（２１）が載置され、大引（２１）が水平になるように調整されてもよい。
その後、根太（９０）が大引（２１）を直交するように、根太（９０）を大引（２１）に対して接続し、矩形枠を形成する。
図２に示すような一対の角材（２１０）からなる大引（２１）を使用する場合には、一対の角材（２１０）の端部にジョイントキャップ（２１３）を取付けて、一対の角材（２１０）を接続させた状態で、矩形枠形成工程を行うことが好ましい。このようにすれば、大引（２１）の設置が簡単になるのに加えて、ジョイントキャップ（２１３）が角材（２１０）の端部を覆うので、大引設置を行う作業者が、角材（２１０）端部で怪我をすることが防止される。
【００３９】
矩形枠形成工程の次に、デッキ基材設置工程が行われる。
デッキ基材設置工程にて、大引（２１）に直交するように、デッキ材（２３）が既に固定されたデッキ基材（２２）が大引（２１）上面に載置される。
図２に示すようなデッキ構造部（２）の場合には、このとき第１固定具（３）のボルト部（３２）が、角材（２１０）の間に挿入され、角材（２１０）上面をデッキ基材（２２）が摺動するように移動される。この間、第１固定具（３）は、未だ固定されていないので、デッキ基材（２２）の開口縁（２２１）に沿って移動することが可能であり、各デッキ基材（２２）の端部位置のアライメントの調整など、デッキ基材（２２）の設置を容易に行うことが可能である。そして、デッキ基材（２２）が適切な位置に載置された後、ワッシャ（３３）及びナット（３４）をボルト部（３２）に取付け、ナット（３４）を締め付けることにより、デッキ基材（２２）が大引（２１）上に固定可能となる。
【００４０】
図５に示すデッキ構造部（２）の場合には、デッキ基材（２２）を大引（２１）上の適切な位置に載置した後、Ｃ型クランプ（３１０）にて、デッキ基材（２２）と大引（２１）とを固定する。尚、大引（２１）下面と接続する束柱（９）或いは調整束（５）が存在することにより、Ｃ型クランプ（３１０）での固定が困難である場合には、Ｌ字材（３１２）を用いて、デッキ基材（２２）と大引（２１）の接続を行うことも可能である。
【００４１】
上述の如く、本発明のデッキ（１）は、簡単に構築することが可能である。更には、デッキ建築工程中の任意の段階で、大引（２１）上に既に固定されたデッキ基材（２２）上のデッキ材（２３）を破損させてしまった場合であっても、破損箇所のデッキ基材（２２）を単独で取外すことが可能であり、デッキ建築施工が非常に容易になり、効率的に行うことが可能である。
これに加えて、一度デッキ（１）を完成させた後、デッキ材（２３）を機械的強度の異なるデッキ材（２３）に変更したい場合において、束柱（９）の配列ピッチ等の基礎構造の変更を要しない。従来において、デッキ材（２３）は、デッキ（１）上から加わる荷重を支持する役割を担うものであったが、本発明のデッキ（１）においては、デッキ基材（２２）が、デッキ（１）上から加わる荷重を支持する役割を担うものであり、例えば、機械的強度の低いデッキ材（２３）に変更したい場合においては、既存のデッキ基材（２２）を取外し、新たなデッキ材（２３）が取付けられたデッキ基材（２２）を設置することのみで、デッキ材（２３）の交換作業を完了させることができる。
【００４２】
図７は、デッキ（１）の修繕工程のフローチャートである。
デッキ（１）完了後に、デッキ材（２３）が破損した場合には、まず、取外工程にて、破損したデッキ材（２３）に接続するデッキ基材（２２）と大引（２１）とを接続する第１固定具（３）を取外す。
そして、配設工程にて、新たなデッキ材（２３）が取付けられたデッキ基材（２２）を、デッキ（１）上のデッキ基材（２２）が取外された箇所に設置する。本発明においては、隣接するデッキ基材（２２）同士が第１固定具（３）により連結固定されていないため、破損した部分のデッキ基材（２２）のみを単独で取外し並びに配設することができる。
新たなデッキ材（２３）並びにデッキ基材（２２）を配設したのち、第１固定具（３）で新たなデッキ基材（２２）を大引（２１）に固定する。
このように、本発明のデッキ（１）は簡単に修繕を行うことが可能である。
【００４３】
上記において、束柱（９）並びに矩形枠に支持されたデッキ基材（２２）並びにデッキ材（２３）により構成されたデッキ（１）が示されてきたが、これらデッキ基材（２２）並びにデッキ材（２３）を直接地面に配設してグランドデッキを構成してもよい。
図８は、グランドデッキを示す斜視図である。
【００４４】
図８に示すグランドデッキ（１０）は、デッキ基材（２２）を土中に埋設し、デッキ材（２３）を地表面に露出させて、このデッキ基材（２２）並びにデッキ材（２３）を所定数平行に且つ互いに隣接するようにして配列させた形態である。このようにして、所定面積のグランドデッキ（１０）を得ることができる。尚、デッキ基材（２２）並びにデッキ材（２３）には、上記で説明した材質のものがグランドデッキ（１０）に対しても好適に使用可能である。
このようにして、単にデッキ基材（２２）の部分を埋設するように配列することのみで、グランドデッキ（１０）を構築可能となるので、建築作業を生業としない一般の人でも、グランドデッキ（１０）を容易に構築可能となる。
【００４５】
図９に、他のグランドデッキ（１０）の形態を示す。
図８において、デッキ基材（２２）は、フラップ板（２２２）を備えるものであったが、図９に示す如く、フラップ板（２２２）を備えなくともよい。この場合には、デッキ基材（２２）の鉛直部分が確実に埋設可能となるだけの溝を地面に形成するのみで、容易にデッキ基材（２２）を地面に固定可能となり、埋設作業を非常に簡便に完了可能となる。
【００４６】
従来において、このようなグランドデッキのデッキ材としては、不要となった枕木が用いられてきた。しかしながら、このようなグランドデッキは、枕木に塗布された防腐剤等による土壌汚染が問題となるが、図８並びに図９に示すような形態を採用するならば、このような土壌汚染の問題を生ずることがない。
【産業上の利用可能性】
【００４７】
本発明は、機械的強度の低いデッキ材や湿度等の変化により伸縮する性質を有するデッキ材を床板とするデッキに好適に適用される。
【図面の簡単な説明】
【００４８】
【図１】本発明に係るデッキの概略的全体図である。
【図２】本発明に係るデッキのデッキ基材と大引との接続構造を示す詳細図である。
【図３】本発明に係るデッキのデッキ材とデッキ基材の接続構造を示す詳細図である。
【図４】本発明に係るデッキのデッキ材とデッキ基材の他の接続構造を示す図である。
【図５】本発明に係るデッキのデッキ基材と大引との他の接続構造を示す詳細図である。
【図６】本発明に係るデッキの建築方法を示すフローチャートである。
【図７】本発明に係るデッキの修繕方法を示すフローチャートである。
【図８】本発明に係るグランドデッキの斜視図である。
【図９】本発明に係るグランドデッキの斜視図である。
【図１０】従来のデッキのデッキ材固定構造を示す図である。
【符号の説明】
【００４９】
１・・・・・デッキ
１０・・・・グランドデッキ
２・・・・・デッキ構造部
２１・・・・大引
２１０・・・角材
２１２・・・ジョイントキャップ
２２・・・・デッキ基材
２２１・・・開口縁
２３・・・・デッキ材
３・・・・・第１固定具
３１・・・・板材
３１０・・・Ｃ型クランプ
３１２・・・Ｌ字材
３２・・・・ボルト部
３３・・・・ワッシャ
３４・・・・ナット
４・・・・・接続具
５・・・・・調整束
６・・・・・第２固定具
９・・・・・束柱
９０・・・・根太
【図１】
2006348706.tif 000003
【図２】
2006348706.tif 000004
【図３】
2006348706.tif 000005
【図４】
2006348706.tif 000006
【図５】
2006348706.tif 000007
【図６】
2006348706.tif 000008
【図７】
2006348706.tif 000009
【図８】
2006348706.tif 000010
【図９】
2006348706.tif 000011
【図１０】
2006348706.tif 000012